(57)【要約】【課題】複数個の錠剤を一度に取り出す場合にも、その複数個の錠剤が手の平からこぼれ落ちてしまうことなく上手く受け取れるようにした錠剤用容器を提供する。【解決手段】平面形状が略四角形の平坦容器１に、複数列の収容部２を形成し、これら収容部２にそれぞれ複数個の錠剤Ｔを並べて収容すると共に、前記収容部２の開口部２ａをそれぞれ剥離自在としたフィルム体３で密封したものとしている。【選択図】図２
2019051199.tif 000002
【特許請求の範囲】
【請求項１】
平面形状が略四角形の平坦容器（１）に、複数列の収容部（２）を形成し、これら収容部（２）にそれぞれ複数個の錠剤（Ｔ）を並べて収容すると共に、前記収容部（２）の開口部（２ａ）をそれぞれ剥離自在としたフィルム体（３）で密封したことを特徴とする錠剤用容器。
【請求項２】
前記平坦容器（１）を開口部（１ａ）どうしが向かい合うように二個重ねにすると共にそれぞれをヒンジ結合したものとして、前記平坦容器（１）どうしを両開き自在にしたことを特徴とする請求項１記載の錠剤用容器。
【請求項３】
前記収容部（２）の開口部（２ａ）を密封したフィルム体（３）を、それぞれの列ごとに剥離自在としたことを特徴とする請求項１または２記載の錠剤用容器。
【請求項４】
前記収容部（２）は、それぞれ隙間（Ｇ）を開けて複数列形成されており、それぞれの一端には、空間（Ｓ）を設けたことを特徴とする請求項１〜３の何れかに記載の錠剤用容器。
【請求項５】
前記フィルム体（３）は、収容部（２）の開口部（２ａ）を一度に剥離自在として密封するようにしたものとすると共に、前記収容部（２）の各隙間（Ｇ）に位置するように切れ目（３ａ）を設けたことを特徴とする請求項４記載の錠剤用容器。
【請求項６】
前記フィルム体（３）は、収容部（２）の空間（Ｓ）にはみ出すようにした突出端（３ｂ）を設けたことを特徴とする請求項４または５記載の錠剤用容器。
【発明の詳細な説明】
【技術分野】
【０００１】
この発明は、医薬品、医薬部外品、サプリメント、菓子、調味料等の錠剤を収容し、収容したこれらの錠剤を定量ずつ取り出すことのできる錠剤用容器に関するものである。
【背景技術】
【０００２】
従来、このような錠剤用容器は、収容凸部を有する複数個の薄肉プラスチック容器と、これら容器の凸部を挿入合致する孔を複数有する台紙から構成され、前記複数個のそれぞれの容器の収容凸部を台紙の複数のそれぞれの孔に挿入合致させ、前記容器の収容凸部にそれぞれ複数の錠剤を収容させた後、前記台紙を密閉シールで圧着したブリスター容器が存在する（特許文献１）。
【０００３】
このように構成された錠剤用容器は、薄肉プラスチック容器を指で押して密閉シールを破るか、密閉シールを台紙から剥離させることにより、その容器の収容凸部内に収容させた複数個の錠剤を一度に取り出していた。
【先行技術文献】
【特許文献】
【０００４】
【特許文献１】特開２００９−４８５号公報
【発明の概要】
【発明が解決しようとする課題】
【０００５】
しかしながら、特許文献１に示された錠剤用容器では、薄肉プラスチック容器を指で押して密閉シールを破って、複数個の錠剤を台紙の裏側から取り出すため、その複数個の錠剤が手の平からこぼれ落ちてしまい上手く受け取れない場合があるという課題を有していた。
【０００６】
さらに、特許文献１に示された錠剤用容器では、密閉シールを台紙から剥離させる場合においても、複数個の錠剤を台紙の裏側から取り出すため、その複数個の錠剤が前記したように、上手く受け取れない場合があるという課題を有していた。
【０００７】
そこで、この発明は、上記従来の錠剤用容器が有する問題点を解決するものであり、複数個の錠剤を一度に取り出す場合にも、その複数個の錠剤が手の平からこぼれ落ちてしまうことなく上手く受け取れるようにした錠剤用容器を提供することを目的としてなされたものである。
【課題を解決するための手段】
【０００８】
そのため、この発明の錠剤用容器は、平面形状が略四角形の平坦容器１に、複数列の収容部２を形成し、これら収容部２にそれぞれ複数個の錠剤Ｔを並べて収容すると共に、前記収容部２の開口部２ａをそれぞれ剥離自在としたフィルム体３で密封したものとしている。
【０００９】
この発明の錠剤用容器において、前記平坦容器１を開口部１ａどうしが向かい合うように二個重ねにすると共にそれぞれをヒンジ結合したものとして、前記平坦容器１どうしを両開き自在にしたものとしている。
【００１０】
この発明の錠剤用容器において、前記収容部２の開口部２ａを密封したフィルム体３を、それぞれの列ごとに剥離自在としたものとしている。
【００１１】
この発明の錠剤用容器において、前記収容部２は、それぞれ隙間Ｇを開けて複数列形成されており、それぞれの一端には、空間Ｓを設けている。
【００１２】
この発明の錠剤用容器において、前記フィルム体３は、収容部２の開口部２ａを一度に剥離自在として密封するようにしたものとすると共に、前記収容部２の各隙間Ｇに位置するように切れ目３ａを設けたものとしている。
【００１３】
この発明の錠剤用容器において、さらに、前記フィルム体３は、収容部２の空間Ｓにはみ出すようにした突出端３ｂを設けたものとしている。
【発明の効果】
【００１４】
この発明の錠剤用容器は、以上に述べたように構成されているので、複数個の錠剤を一度に取り出す場合にも、その複数個の錠剤が手の平からこぼれ落ちてしまうことなく上手く受け取ることができる。
【図面の簡単な説明】
【００１５】
【図１】この発明の錠剤用容器の一実施形態の斜視図である。
【図２】図１に示すこの発明の錠剤用容器の開蓋状態を示す斜視図である。
【図３】図１に示すこの発明の錠剤用容器の平面図である。
【図４】図２に示すこの発明の錠剤用容器のフィルム体をすべて剥がした状態の平面図である。
【図５】図３中のＡ−Ａによるこの発明の錠剤用容器の断面図である。
【図６】図４中のＢ−Ｂによるこの発明の錠剤用容器の断面図である。
【図７】この発明の錠剤用容器のフィルム体の平面図である。
【発明を実施するための形態】
【００１６】
以下、この発明の錠剤用容器を実施するための形態を図面に基づいて詳細に説明する。
【００１７】
この発明の錠剤用容器は、図１、２に示したように、平面形状が縦横４０〜５０ｍｍ程度の略四角形で、高さ５〜１０ｍｍ程度の合成樹脂製の平坦容器１に、平面形状が縦７〜１０ｍｍ、横３０〜４０ｍｍ程度の略長四角形で、高さ４〜８ｍｍ程度の複数列の収容部２を形成し、これら収容部２にそれぞれ複数個の錠剤Ｔを並べて収容している。そして、前記収容部２の開口部２ａをそれぞれ剥離自在としたフィルム体３で密封したものとしている。なお、前記収容部２は、平坦容器１との合成樹脂の一体成型物としているが、別体とした物を組み合わせてもよい。また、前記平坦容器１や収容部２の縦横、高さの寸法は、前記した範囲に限定されるものでないことはいうまでもない。
【００１８】
前記平坦容器１は、熱可塑性の合成樹脂より構成され、開口部１ａどうしが向かい合うように二個重ねにすると共にそれぞれを合成樹脂の薄肉部４を介してヒンジ結合したものとしており、前記平坦容器１どうしを両開き自在にしたものとしている。このようにすれば、錠剤用容器を携帯するときには、二個重ねにすることにより、錠剤用容器がコンパクトに纏まったものとなり、錠剤用容器を使用するときには、両開きにすることにより、錠剤Ｔが収容部２から取り出し易いものとなる。
【００１９】
前記収容部２は、服用すべき人の症状などにあわせて、一度に服用すべき複数個の錠剤Ｔが収容されている。錠剤Ｔとしては、薬剤または健康用のサプリメントなどとすることができ、図示したものはそれぞれの収容部２に同種の糖衣錠を四個収容したものとしているが、収容数量は限定されることなく、また複数種の錠剤Ｔとしてもよい。
【００２０】
前記収容部２は、それぞれ幅１〜２ｍｍ程度の隙間Ｇを開けて複数列形成されており、図示したものは三列にしているが、列数はもちろん限定されるものではない。また、前記収容部２は、前記平坦容器１の側壁１ｂとの間にも幅１〜２ｍｍ程度の隙間Ｇを開けたものとしている。さらに、前記収容部２の一端には、前記平坦容器１の側壁１ｂとの間にそれぞれ幅３〜６ｍｍ程度の空間Ｓを設けている。これら空間Ｓは、図示した状態において、一方を前記平坦容器１の手前側の側壁１ｂとの間に、他方を平坦容器１の奥側の側壁１ｂとの間に設けたものとしているが、両方とも前記平坦容器１の手前側の側壁１ｂとの間に設けたり、両方とも前記平坦容器１の奥側の側壁１ｂとの間に設けたものとしてもよい。なお、それぞれの列間に隙間Ｇを開けているのは、フィルム体３の切れ目３ａが、この隙間Ｇに位置するようにして、フィルム体３が切断され易くするためであり、平坦容器１の側壁１ｂとの間にも隙間Ｇを開けているのは、フィルム体３の端が少し食み出しても、この隙間Ｇ内に納まるようにして、平坦容器１の側壁１ｂの外へ食み出さないようにするためである。また、前記収容部２の一端に空間Ｓを設けているのは、この空間Ｓに指を差し込んで、フィルム体３の突出端３ｂを指で摘まんで剥離し易くするためである。
【００２１】
前記フィルム体３は、アルミニウム箔としたり、ポリエチレンテレフタレートのようなバリア性を有するものとするのが好ましく、前記収容部２の開口部２ａを一つずつ剥離自在として密封するようにしたものとすることもできるが、図７に示したようなフィルム体３によって、複数個（図示したものでは三個）の収容部２の開口部２ａを一度に剥離自在として密封するようにしたものとすることができる。そして、前記フィルム体３は、前記収容部２の開口部２ａを密封した場合に、この収容部２の各隙間Ｇに位置するように前記切れ目３ａを設けたものとしている。この切れ目３ａは、弱め線やミシン目などとすることができる。さらに、前記フィルム体３は、前記収容部２の開口部２ａを密封した場合に、この収容部２の空間Ｓにはみ出すようにした前記突出端３ｂを設けたものとしている。このようにすることにより、前記収容部２の開口部２ａを密封したフィルム体３は、それぞれの列ごとに剥離自在としたものとすることができる。
【００２２】
この発明の錠剤用容器は、以上に述べたように構成されており、以下その使用方法について説明する。
【００２３】
先ず、この発明の錠剤用容器を携帯する場合は、図１、３に示したように、平坦容器１の開口部１ａどうしが向かい合うように二個重ねにして、鞄や袋物、ポケットの中などに入れておく。
【００２４】
そして、この発明の錠剤用容器から錠剤Ｔを取り出す場合には、図２、４に示したように、平坦容器１どうしを両開きにして、収容部２の一端の空間Ｓに指を差し込んで、何れか一列の収容部２の開口部２ａを密封したフィルム体３の突出端３ｂを指で摘まんで剥離すれば、このフィルム体３が切れ目３ａから切断され、他の列の収容部２の開口部２ａを密封したフィルム体３は剥離することなく、その何れか一列の収容部２の開口部２ａを密封したフィルム体３のみが剥離される。そこで、その状態で平坦容器１をひっくり返して手の平ひらでその複数個の錠剤Ｔを受け取れば、複数個の錠剤Ｔは手の平からこぼれ落ちてしまうことなく上手く受け取ることができる。さらに、続けて他の列の収容部２の錠剤Ｔを取り出したい場合は、もう一度収容部２の一端の空間Ｓに指を差し込んで、同様にフィルム体３を剥離させれば、同様に複数個の錠剤Ｔを手の平からこぼれ落ちてしまうことなく上手く受け取ることができる。
【００２５】
なお、錠剤Ｔの取り出しが終われば、平坦容器１どうしを両開きにしたまま、テーブルなどに置いておいてもよいが、携帯する場合には、前記したように平坦容器１の開口部１ａどうしが向かい合うように二個重ねにした方が、錠剤用容器がコンパクトに纏まったものとなるので好ましい。
【００２６】
この発明の錠剤用容器は、以上に述べたように構成されているので、先にも述べたように、複数個の錠剤Ｔを一度に取り出す場合に、その複数個の錠剤Ｔが手の平からこぼれ落ちてしまうことなく上手く受け取ることができ、また携帯にも便利なものとなる。
【００２７】
さらに、この発明の錠剤用容器では、フィルム体３を剥離していない収容部２は完全に密封されているので、その収容部２に収容された複数個の錠剤Ｔが湿気等により品質劣化することもない。
【符号の説明】
【００２８】
１  平担容器
１ａ  開口部
２  収容部
２ａ  開口部
３  フィルム体
３ａ  切れ目
３ｂ  突出端
Ｇ  隙間
Ｓ  空間
Ｔ  錠剤
【図１】
2019051199.tif 000003
【図２】
2019051199.tif 000004
【図３】
2019051199.tif 000005
【図４】
2019051199.tif 000006
【図５】
2019051199.tif 000007
【図６】
2019051199.tif 000008
【図７】
2019051199.tif 000009